(57)【要約】【課題】  広告の目的などに適した広告電柱を選出する。【解決手段】  道路の敷設状態や交通量、電柱の設置位置などの地理的情報を記憶する地理的情報データベース１１と、電柱広告に関する規制情報を記憶する規制情報データベース１２と、広告目的や広告範囲などの広告条件を入力する入力部１３と、入力部１３で入力された広告条件に適合する広告電柱を、地理的情報と規制情報とに基づいて選出する電柱選出タスク１６と、を備える。【選択図】  図１
2011141624.tif 000002
【特許請求の範囲】
【請求項１】
電柱広告を行う広告電柱を選出する広告電柱選出装置であって、
道路の敷設状態や交通量、電柱の設置位置などの地理的情報を記憶する地理的情報記憶手段と、
電柱広告に関する規制情報を記憶する規制情報記憶手段と、
広告目的や広告範囲などの広告条件を入力する入力手段と、
前記入力手段で入力された広告条件に適合する広告電柱を、地理的情報記憶手段に記憶された地理的情報と規制情報記憶手段に記憶された規制情報とに基づいて選出する電柱選出手段と、
を備えることを特徴とする広告電柱選出装置。
【発明の詳細な説明】
【技術分野】
【０００１】
この発明は、電柱広告を行う電柱（広告電柱）を選出する広告電柱選出装置に関する。
【背景技術】
【０００２】
電柱広告は、公道などに多数設置されている電柱に、看板などを取り付けることで宣伝・広告を行うものであり、多くの人目につきやすく、有効な広告手段の一つとして広く認識されている。このような電柱広告によって、より効果的な宣伝・広告効果を得るには、広告の目的などに応じて、広告電柱を選定する必要がある。例えば、広告主のレストランに人を導くためには、レストランまでの道順を案内するように広告電柱を選定する必要があり、また、広告主のレストラン自体を宣伝するためには、人出が多い場所で広告電柱を選定する必要がある。
【０００３】
さらに、電柱広告は、公道などに設置されるという公共性の高さなどから、道路法などの法律による規制や、顔写真の掲載が認められないなどの広告内容物に関する規制、さらには、信号機の取付電柱など電柱そのものの種別による規制など、いろいろな設置条件が設けられている。このため、上記のように広告の目的などに適合するとともに、いろいろな設置条件をクリアするように、広告電柱を選出しなければならない。
【０００４】
なお、広告電柱の選出に要する時間を短縮するために、電柱の使用可否を判断する電柱使用申込システムに関する技術が知られている（例えば、特許文献１参照。）。
【先行技術文献】
【特許文献】
【０００５】
【特許文献１】特開２００７−３４４２６号公報
【発明の概要】
【発明が解決しようとする課題】
【０００６】
ところで、広告電柱の選出は、従来、電柱広告の申し込みがあった場合に、担当者などが対象地域に赴いて行っていた。すなわち、広告の目的などに適合する電柱を現地で選定しながら、その電柱が設置条件をクリアできるか否かなどを確認し、広告電柱を選出していた。このため、広告電柱の選出に、多大な労力と時間を要するばかりでなく、担当者によって選出の適正性にバラツキが生じるおそれがあった。
【０００７】
そこでこの発明は、広告の目的などに適した広告電柱を選出することが可能な広告電柱選出装置を提供することを目的としている。
【課題を解決するための手段】
【０００８】
前記の課題を解決するために、請求項１の発明は、電柱広告を行う広告電柱を選出する広告電柱選出装置であって、道路の敷設状態や交通量、電柱の設置位置などの地理的情報を記憶する地理的情報記憶手段と、電柱広告に関する規制情報を記憶する規制情報記憶手段と、広告目的や広告範囲などの広告条件を入力する入力手段と、入力手段で入力された広告条件に適合する広告電柱を、地理的情報記憶手段に記憶された地理的情報と規制情報記憶手段に記憶された規制情報とに基づいて選出する電柱選出手段とを備えることを特徴とする。ここで、電柱には、電力線を配設するための電力柱や、通信線を配設するための通信柱などを含む。また、広告目的とは、広告主のレストランに人を導くという目的（道案内目的）や、広告主のレストランを宣伝するという目的（宣伝目的）などである。
【０００９】
この発明によれば、入力手段によって例えば広告目的を入力すると、電柱選出手段によって、道路の敷設状態や交通量などと電柱広告に関する規制情報とに基づいて、入力された広告目的に適合する広告電柱が選出される。
【発明の効果】
【００１０】
請求項１に記載の発明によれば、広告条件を入力することで、入力された広告条件に適合する広告電柱が選出されるため、担当者などが現地に赴いて電柱広告を選定する必要がなく、広告電柱の選出に要する労力と時間を著しく削減することができる。しかも、道路の敷設状態や交通量、電柱の設置位置などと、電柱広告に関する規制情報とに基づいて広告電柱が選出されるため、広告目的や広告範囲などに適合し、かつ、電柱広告に関する規制（設置条件）を遵守・クリアする適正な広告電柱を選出することが可能となる。
【図面の簡単な説明】
【００１１】
【図１】この発明の実施の形態に係る広告電柱選出装置の概略構成ブロック図である。
【図２】図１の広告電柱選出装置による処理を示すフローチャートである。
【図３】図２の電柱選出タスクによる処理を示すフローチャートである。
【図４】図１の広告電柱選出装置で広告条件（道案内目的）に適合する周辺地図である。
【図５】図４の周辺地図の一部拡大図である。
【図６】図１の広告電柱選出装置で広告条件（宣伝目的）に適合する周辺地図である。
【発明を実施するための形態】
【００１２】
以下、この実施の形態に基づいて説明する。
【００１３】
図１は、この発明の実施の形態に係る広告電柱選出装置１の概略構成ブロック図である。この広告電柱選出装置１は、電柱広告を行う電柱（広告電柱）を選出する装置であり、主として、地理的情報データベース（地理的情報記憶手段）１１、規制情報データベース（規制情報記憶手段）１２、入力部（入力手段）１３、表示部１４、記憶部１５、電柱選出タスク（電柱選出手段）１６および、これらを制御などする制御部１７とを備えている。
【００１４】
ここで、電柱には、電力会社が設置し送電などを目的とする電力柱や、通信会社が設置し通信ケーブルの支持を目的とする通信柱（電信柱）、電力会社と通信会社で共用される共架柱、さらには、電灯を支持するための電灯柱などが含まれる。
【００１５】
地理的情報データベース１１には、道路情報や交通量情報、電柱情報などの地理的情報が記憶されている。道路情報とは、道路の敷設状態を示すもので、例えば、道路ＩＤ、道路名称、道路の敷設位置（緯度、経度）、道路の形状、幅員、交差点の位置（緯度、経度）、信号機の設置位置（緯度、経度）などである。また、交通量情報とは、例えば、各道路に対する車両と人のそれぞれの交通量などである。さらに、電柱情報とは、電柱の設置状態を示すもので、例えば、電柱番号、電柱種別、電柱の設置位置（緯度、経度）、設置道路ＩＤ、広告設置状況などである。ここで、広告設置状況とは、電柱に対する広告の設置状況を示すものであり、広告は電柱の上部に電柱本体から突出して設置される突出広告物および、電柱本体に巻き付ける巻付広告物が、それぞれひとつまで設置可能となっている。
【００１６】
規制情報データベース１２には、電柱広告に関する規制情報が記憶されている。具体的には、道路交通法、都市計画法などによる電柱広告の規制条件（電柱広告ができない条件）や、電柱種別、公共的物件設置状況、電柱の設置敷地情報などによる規制条件が記憶されている。ここで、電柱種別とは、電柱の種別を示すものであり、例えば、通常柱や環境調和柱、金属製電柱などがあり、環境調和柱と金属製電柱は、広告物を設置できない電柱とされている。公共的物件設置状況とは、例えば、信号機や標識などの公共物の設置の有無を示すものであり、公共物が設置されている電柱の場合には、広告物の設置に協議が必要とされている。電柱の設置敷地情報とは、電柱が設置されている敷地に関する情報であり、例えば、電柱が設置されている敷地が道路以外の場合には、広告物の設置に協議が必要とされている。
【００１７】
入力部１３は、後述するように、広告対象Ｇや広告目的、広告範囲Ａなどの広告条件を入力する機器であり、例えば、キーボードやマウス等である。ここで、広告対象Ｇとは、広告主の名称や広告対象Ｇの住所などである。広告目的は、例えば、広告主の店舗に人を導くという道案内目的や、広告主の店舗を宣伝するという宣伝目的などである。この広告目的に応じて、後述するように、広告電柱が選出されるようになっている。具体的には、広告目的が道案内目的の場合には、広告対象Ｇまでの道案内となるように、広告対象Ｇまでの道のりに沿った広告電柱を選出する。また、広告目的が宣伝目的の場合には、広告対象Ｇの周辺で、例えば、交通量が多い道路などに設置された広告効果の高い広告電柱を選出する。また、広告範囲Ａは、電柱広告を設置したい範囲を、例えば、広告対象Ｇを中心とする半径などで指定するようになっている。
【００１８】
表示部１４は、入力部１３から入力されたデータや、処理の結果などを表示する機器であり、例えば、ＣＲＴディスプレイ、ＬＣＤ、有機ＥＬディスプレイ又はプラズマディスプレイ等の表示装置などである。
【００１９】
記憶部１５は、後述するような電柱選出タスク１６による演算結果などを記憶するメモリである。
【００２０】
電柱選出タスク１６は、入力部１３で入力された広告条件に適合する広告電柱を、地理的情報データベース１１と規制情報データベース１２とに基づいて選出するタスクであり、図３に示すフローチャートに基づいている。
【００２１】
まず、電柱選出タスク１６の起動について説明する。ここで、この実施の形態では、主として、広告目的が道案内目的である場合を例にして説明する。まず、図２に示すように、広告電柱を選出するプログラムが起動され、入力部１３で広告条件が入力されると（ステップＳ１）、入力された広告対象Ｇの住所（道案内の終点）と広告範囲Ａとから、広告範囲Ａ内の道路や交差点などを含む周辺地図を取得し（ステップＳ２）、周辺地図を表示部１４に表示する（ステップＳ３）。ここで、ステップＳ１で、例えば、幹線道路や幅員が５ｍ以上の道路などに限定するように入力すると、広告効果の乏しい交通量の少ない道路や、路地などのように幅員が狭い道路を除外した周辺地図を取得、表示する。
【００２２】
次に、ステップＳ３で表示された周辺地図上で、図４に示すように、電柱広告を設置したい優先道路ａが、優先度が高い順に指定されると（ステップＳ４）、電柱選出タスク１６が起動される（ステップＳ５）。ここで、優先道路ａの入力は、入力部１３によって人が入力してもよいし、自動的に設定するようにしてもよい。例えば、駅に近い道路の優先順位を高くしたり、幹線道路の優先順位を高くしたりすることで、広告効果を高めることができる。そして、入力された優先道路ａを優先道路リストとして、記憶部１５に記憶する。また、優先道路ａとして入力されなかった道路については、広告電柱の選出の対象外となり、以降の処理は行われない。
【００２３】
続いて、電柱選出タスク１６では、ステップ４で入力された優先道路ａ（ルート）に沿って、広告電柱を選出する。まず、優先道路リストから優先順位が最も高い優先道路ａを取得し（ステップＳ５１１）、すべての優先道路ａについて、処理が終わっているか否かを判定する（ステップＳ５１２）。処理が終わっている場合（「ＹＥＳ」の場合）には、タスクを終了し、処理が終わっていない場合（「ＮＯ」の場合）には、この優先道路ａ沿いの最初の電柱を１つ取得する（ステップＳ５１３）。そして、この優先道路ａ沿いのすべての電柱について、処理が終わっているか否かを判定し（ステップＳ５１４）、処理が終わっている場合（「ＹＥＳ」の場合）には、この優先道路ａの処理を終了し、次の優先道路ａを優先道路リストから取得する（ステップＳ５２４）。
【００２４】
一方、処理が終わっていない場合（「ＮＯ」の場合）には、規制情報データベース１２を参照し、この電柱が法規制に該当していないか否かを判定する（ステップＳ５１５）。そして、該当する場合（「ＮＯ」の場合）には、この電柱への電柱広告はできないので、この電柱の処理を終了し、次の電柱の処理へ進む（ステップＳ５２３）。一方、法規制に該当しない場合（「ＹＥＳ」の場合）には、地理的情報データベース１１の電柱情報を参照し、この電柱に同種の広告物が既に設置されていないか否かを判定する（ステップＳ５１６）。そして、既に設置されている場合（「ＮＯ」の場合）には、この電柱への電柱広告はできないので、この電柱の処理を終了し、次の電柱の処理へ進む（ステップＳ５２３）。
【００２５】
一方、設置されていない場合（「ＹＥＳ」の場合）には、規制情報データベース１２を参照し、この電柱が電柱広告の可能な電柱種別であるか否かを判定する（ステップＳ５１７）。そして、設置できない電柱種別である場合（「ＮＯ」の場合）には、この電柱への電柱広告はできないので、この電柱の処理を終了し、次の電柱の処理へ進む（ステップＳ５２３）。一方、設置できる電柱種別である（「ＹＥＳ」の場合）には、規制情報データベース１２を参照し、この電柱に信号機や標識などの公共物が設置されていないか否かを判定する（ステップＳ５１８）。そして、設置されている場合（「ＮＯ」の場合）には、協議が必要になるので、この電柱の電柱番号と協議原因（公共物）を協議電柱リストとして、記憶部１５に記憶し（ステップＳ５１９）、ステップＳ５２０へ進む。
【００２６】
次に、規制情報データベース１２を参照し、この電柱の設置されている敷地が道路であるか否かを判定する（ステップＳ５２０）。そして、道路以外の場合（「ＮＯ」の場合）には、協議が必要になるので、この電柱の電柱番号と協議原因（敷地）を協議電柱リストとして、記憶部１５に記憶し（ステップＳ５２１）、ステップＳ５２２へ進む。このようにして電柱広告が行えることを判定、確認した後に、この電柱の電柱番号を広告電柱候補リストとして、記憶部１５に記憶し（ステップＳ５２２）、次の電柱の処理へ進む（ステップＳ５２３）。このようにして、ステップＳ４で入力された優先道路ａに対して、優先順位の高いものから順に、電柱広告が可能な広告電柱を選出するものである。
【００２７】
そして、図５に示すように、電柱選出タスク１６で選出された広告電柱ＥＰを、広告の方向（道路に対して９０度）ｄを付加して表示部１４に表示する（ステップＳ６）ものである。このような選出結果の表示は、優先道路ａごとにしてもよいし、広告電柱の本数を併せて表示してもよく、また、本数に１本当たりの広告単価を乗算して、広告費用を表示するようにしてもよい。
【００２８】
次に、このような構成の広告電柱選出装置１の作用・動作について説明する。ここで、広告目的が道案内である場合の例を、図４、５を参照して説明する。まず、広告目的が道案内目的で、広告対象が符号Ｇの地点で、広告範囲が符号Ｇの地点を中心とする点線の円Ａ１であることが入力手段１３によって入力される。そして、入力された広告対象Ｇと、広告範囲Ａに基づいて、上記のように、広告範囲Ａ１を含む周辺地図が表示部１４に表示される。このとき、ルート上の交差点や一時停止位置などを認識しやすくするため、例えば、点線の円Ｃ１〜Ｃ６で囲むことで強調表示させる。これは、道案内目的である場合、交差点などの付近に、進行方向を示す広告電柱を設置することが効果的であることによる。
【００２９】
次に、表示された周辺地図に基づいて、電柱広告を優先的に設置したい優先道路ａ１〜ａ６が入力、設定されると、電柱選出タスク１６が起動され、上記のようにして、すべての優先道路ａ１〜ａ６に対して、電柱広告が可能な広告電柱が選出され、表示部１４に表示される。例えば、図５に示す第１の優先道路ａ１において、ルートｒ１に沿って設置されている電柱ＥＰ１〜ＥＰ３のうち、電柱ＥＰ１、ＥＰ３は、電柱広告ができないと判定され、電柱ＥＰ２が広告電柱として選出された場合、広告物の配設方向ｄ１（通行道路に対して９０度）が併せて、表示部１４に表示される。
【００３０】
一方、広告目的が宣伝目的である場合にも、同様にして広告電柱が選出され、表示部１４に表示される。例えば、図６に示すように、広告対象Ｇの地点を中心とする広告範囲Ａ２が広告範囲である場合、地理的情報データベース１１の交通量情報に基づいて、交通量が多い道路を優先道路ａ７とし、この優先道路ａ７に対して、上記と同様にして広告電柱が選出される。あるいは、交通量が多い場所が広告範囲Ａ２内に含まれている場合には、その場所周辺に設置されている電柱が広告電柱として選出される。
【００３１】
以上のように、この広告電柱選出装置１によれば、担当者などが広告範囲内のすべての電柱の設置場所に赴いて、電柱広告ができるか否かを１本ずつ判断する必要が無い。このため、広告電柱の選出作業の労力を低減することができ、電柱広告の申込から設置場所の選出までに要する時間を短縮することができる。さらに、広告電柱を容易に、かつ、短時間で選出することができるので、広告主が選出結果を見て広告条件を変更し、再度、広告電柱を選出するなどということにも容易に対応が可能になる。また、選出した広告電柱の表示順序を、例えば、本数順とか、広告費用順、交通量順などに変えることで、広告主への提案の幅を広げることも可能になる。また、広告電柱の選出を人間の判断を介さずに行うので、広告電柱の選出の適正性を均一にすることができる。
【００３２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、優先道路ａ沿いのすべての電柱を対象として広告電柱の選出を行っているが、道案内目的の場合には、ルート上の交差点などの電柱のみを対象として広告電柱を選出するようにしてもよい。また、電柱の広告設置の可否の判定は上記５つの条件（ステップＳ５１４〜Ｓ５２０）で判定しているが、条件を増減してもよいし、また、判定の順序を変更することも勿論可能である。
【符号の説明】
【００３３】
１              広告電柱選出装置
１１            地理的情報データベース（地理的情報記憶手段）
１２            規制情報データベース（規制情報記憶手段）
１３            入力部（入力手段）
１４            表示部
１５            記憶部
１６            電柱選出タスク（電柱選出手段）
１７            制御部
Ｇ              広告対象
Ａ              広告範囲
ａ              優先道路
ＥＰ            広告電柱
【図１】
2011141624.tif 000003
【図２】
2011141624.tif 000004
【図３】
2011141624.tif 000005
【図４】
2011141624.tif 000006
【図５】
2011141624.tif 000007
【図６】
2011141624.tif 000008